(57)【要約】【課題】  供給部パネルの着脱作業を行う際、補給パネルを開放し台間遊技媒体貸出機の内部に手を入れて手探りで解錠操作を行うので内部の板金、装置等に触れてしまい、手を汚す、または、手を切るなど怪我をするといったことが多くあった。また、係止装置が内部にあるため、解除する際に視覚的に見えないので外し難く、作業性が悪かった。【解決手段】  遊技機に隣接して設置され、貨幣類の投入により所定枚数の遊技媒体を貸し出す台間遊技媒体貸出機において、台間遊技媒体貸出機は、縦長の箱状の本体と、遊技媒体の補給を行う補給パネルと、補給パネルと別体で構成され、供給部を配した排出部パネルとを備え、補給パネルを上方向にスライドし、供給部パネルとの間に隙間を設けることで、供給部パネルは本体前面より着脱自在としたことにより達成される。【選択図】      図６
2007000163.tif 000002
【特許請求の範囲】
【請求項１】
遊技機に隣接して設置され、貨幣類の投入により所定枚数の遊技媒体を貸し出す台間遊技媒体貸出機において、
前記台間遊技媒体貸出機は、
縦長の箱状の本体と、
遊技媒体の補給を行う補給パネルと、
前記補給パネルと別体で構成され、供給部を配した供給部パネルとを備え、
前記補給パネルを上方向にスライドし、供給部パネルとの間に隙間を設けることで、
前記排出部パネルは前記本体前面より着脱自在としたことを特徴とする台間遊技媒体貸出機。
【発明の詳細な説明】
【技術分野】
【０００１】
本発明は、遊技機に隣接して設置され、貨幣類の投入により所定枚数の遊技媒体を貸し出す台間遊技媒体貸出機に関するものである。
【背景技術】
【０００２】
従来、遊技店（パチスロ遊技島）においては、遊技台（スロットマシン）を横方向、直線的に配列し、遊技台一台毎に遊技客に遊技媒体（メダル等）を供給する台間遊技媒体貸出機が連列されている。台間遊技媒体貸出機は内部に貨幣類識別装置と遊技媒体払出装置を備え、遊技客が貨幣を貨幣類識別装置に投入し、前記貨幣類識別装置にて投入された貨幣の真偽を識別し、正規の貨幣と判断された場合に、前記遊技媒体払出装置より所定枚数の遊技媒体を遊技客に払い出す。
【０００３】
前記台間遊技媒体貸出機は前面に補給パネルと遊技客に遊技媒体を供給する供給部を配した供給部パネルが設けられている。従来、補給パネルは貯留タンクの前面、供給部パネルは遊技媒体払出装置の前面に位置し、前記補給パネル及び前記供給部パネルには遊技客のいたずらや遊技媒体の盗難といった不正を防止するため施錠具（鍵）が設けられていた。
【０００４】
昨今、台間遊技媒体貸出機のコストダウンに伴い、コスト高の要因となっている施錠具を供給部パネルから取り外した製品が多くなった。このような構造の台間遊技媒体貸出機として、下記文献が開示されている。この台間遊技媒体貸出機は、供給部パネル側に係止具を設け、前記供給部パネルを台間遊技媒体貸出機の本体に対して内部から係止すると共に、補給パネルを通じて内部から手動で係止解除可能とした係止装置を備えたものである。遊技中、遊技媒体払出装置の故障等のメンテナンスの際、店員が補給パネルを開放し、供給部パネルに設けた係止装置を内部より手動で係止解除することで、供給部パネルを取り外し、遊技媒体払出装置の交換作業等を行っていた。
【特許文献１】特開２００２−４５５６１
【発明の開示】
【発明が解決しようとする課題】
【０００５】
しかしながら、前述した台間遊技媒体貸出機は、供給部パネルの着脱作業を行う際、補給パネルを開放し台間遊技媒体貸出機の内部に手を入れ、手探りで解錠操作を行うので内部の板金、装置等に触れてしまい、手を汚す、または、手を切るなど怪我をするといったことが多くあった。また、係止装置が内部にあるため、解除する際に視覚的に見えないので外し難く、作業性が悪かった。
本発明は供給部パネルの着脱操作を安全に行え、且つ簡単な構成で着脱可能とする台間遊技媒体貸出機を提供することを目的とする。
【課題を解決するための手段】
【０００６】
上記目的を達成するために、本発明は、遊技機に隣接して設置され、貨幣類の投入により所定枚数の遊技媒体を貸し出す台間遊技媒体貸出機において、台間遊技媒体貸出機は、縦長の箱状の本体と、遊技媒体の補給を行う補給パネルと、補給パネルと別体で構成され、供給部を配した排出部パネルとを備え、補給パネルを上方向にスライドし、供給部パネルとの間に隙間を設けることで、供給部パネルは本体前面より着脱自在としたことにより達成される。
【発明の効果】
【０００７】
本発明によれば、供給部パネルは本体前面より着脱自在としたことにより、台間遊技媒体貸出機の内部に手を入れて解錠操作することがなくなるので、作業者の手を汚すことなく、また手を切るなど怪我をすることが無くなる。また、前面から着脱可能なので、取り外し、取り付けが容易に行え、短時間で交換可能である。無論、供給部パネルに施錠具を設けることがないため、台間遊技媒体貸出機のコストアップを招くこともない。
【実施例１】
【０００８】
以下、各図面に基づき本発明の台間遊技媒体貸出機１を詳細に説明する。  図７は本発明である台間遊技媒体貸出機１を設置した遊技島３１の構成を示す正面図である。図７に示す通り、遊技島３１は遊技台３３（スロットマシン）を横方向、直線的に配列し、遊技台一台毎に遊技客に遊技媒体（メダル等）を供給する台間遊技媒体貸出機１が連列されている。  
【０００９】
台間遊技媒体貸出機１は内部に貨幣類識別装置１５と遊技媒体払出装置１１を備え、遊技客が貨幣を貨幣類識別装置１５の貨幣投入口１５ａに投入することで、前記貨幣類識別装置１５にて遊技客が投入した前記貨幣の真偽を識別し、正規の貨幣と判断された場合に、前記遊技媒体払出装置１１より所定枚数の遊技媒体を供給部５ａより遊技台３３の受け皿３３ａに払い出す。  
【００１０】
図１は本発明である台間遊技媒体貸出機１の外観斜視図を示す図である。台間遊技媒体貸出機１は、縦長の箱状の本体３と、前記本体３の前面側に位置し、着脱自在の構成となる供給部パネル５と、遊技媒体を補給する際に開閉する補給パネル７と、本体３の上部に位置する上部パネル９と、から構成されている。補給パネル７と上部パネル９には鍵７ａ、９ａが設けられ、遊技客が不正に開閉できない構造になっている。上部パネル９には内部に設けられた貨幣類識別装置１５の貨幣類投入口１５ａが突出し、遊技客は貨幣類を投入することができる。  
【００１１】
図２は台間遊技媒体貸出機１の内部詳細図を示す図である。台間遊技媒体貸出機１の内部には、貨幣類を識別し収納する貨幣類識別装置１５と、遊技客が貨幣類投入口１５ａより投入した貨幣類に応じて所定枚数の遊技媒体を払い出す遊技媒体払出装置１１と、前記遊技媒体払出装置１の払い出す遊技媒体を貯留する貯留タンク１３と、から構成される。各パネル類は前記各構成の前面に設けられており、貨幣類識別装置１５の前面には上部パネル９、貯留タンク１３の前面には補給パネル７、遊技媒体払出装置１１の前面には供給部パネル５が位置している。貯留タンク１３の内部の遊技媒体の貯留量が少なくなると、定員が補給パネル７に設けた鍵７ａを解錠して開放し、遊技媒体を入れ込み補給する。供給部パネル５は台間遊技媒体貸出機１の内部に設けた本体部材１９に係止され固定されている。
【００１２】
図３は補給パネル７の構成の詳細を示す図である。補給パネル７の構成は、補給パネル７と、前記補給パネル７を固定するスライド板２１と、台間遊技媒体貸出機１の本体３に設けられた本体部材１９と、で構成している。スライド板２１は略コノ字形状で、上端面には補給パネル７に固定された蝶番２５をねじ止している。よって、補給パネル７は蝶番２５で固定されているため回動可能となる。また、上端前面にはＬ型に屈曲した制止部２１ａが形成されており、補給パネル７を施錠した状態で、供給部パネル５を取り外そうとしても、供給部パネル５の裏側に設けた制止片５ｂが制止部２１ａに当接し、取り外すことができない。本体部材１９の両端には長穴が形成されており、段付ネジ２３にてスライド板２１を保持する。これによりスライド板２１に固定された補給パネル７は上下にスライドすることが可能となる。
【００１３】
また、本体部材１９には、係止爪１９ａが形成されており、供給部パネル５の裏側上方に設けた係止片５ｃを係止する。係止片５ｃはＬ字形状とし、上端面に角穴を形成している。供給部パネル５を取り付ける際、係止片５ｃと略同位置に設けられた本体部材１９の係止爪１９ａを前記角穴に入れ込むことで係止され、供給部パネル５を固定することができる。
【００１４】
次に図４、図５を用いて本発明における台間遊技媒体貸出機１の作用を説明する。  図４は補給パネル７のスライド前の断面拡大図であり、図５は補給パネル７のスライド後の断面拡大図を示す図である。  補給パネル７は、前記補給パネル７に設けた鍵７ａが本体３の鍵係止部２７により係止されることで回動動作が抑制され、補給パネル７が閉まった状態で固定される構造になっている。鍵７ａを閉じている状態であれば、補給パネル７は上部パネル９に可スライド動作を抑制されるので、上方向にスライドすることができず、固定された状態となる。
【００１５】
供給部パネル５の裏側には、Ｌ字形状の制止片５ｂと、同じくＬ字形状とし弾性材質で形成された係止片５ｃと、が設けられている。前記供給部パネル５は、補給パネル７を施錠した状態で取り外そうとしても、供給部パネル５の裏側に設けた制止片５ｂが制止部２１ａに当接し、取り外すことができない。係止片５ｃは弾性材質（例えばバネ材等）で形成され、本体部材１９に形成された係止爪１９ａに係止され固定されている。
【００１６】
補給パネル７に設けられた鍵７ａを解錠し、回動動作中に上方向にスライドさせると補給パネル７と供給部パネル５との間に隙間Ａができる。前記隙間Ａができることで、供給部パネル５を上方向に持ち上げることができ、係止爪１９ａに係止されている係止片５ｃを解除することが可能になり、供給部パネル５を取り外すことが可能となる。  
【００１７】
図６は供給部パネル５を取り外した台間遊技媒体貸出機１の内部詳細図を示す図である。  補給パネル７を上方向（矢印ａ）にスライドし、補給パネル７と供給部パネル５の間に隙間Ａをつくることで、前面側から供給部パネル５を上方向（矢印ｂ）へ引き上げ、取り外すことが可能となる。そのため、台間遊技媒体貸出機１の内部で手を汚したり、怪我をすることなく、メンテナンス作業が迅速に行える。また、取り付ける際には、供給部パネル５の下部を台間遊技媒体貸出機１の下部に配した挿入部２９に差込み、供給部パネル５の下部を軸とし、本体３に嵌め込み、供給部パネル５に設けた係止片５ｃを係止爪１９ａに係止することで取り付けることができる。係止片５ｃは弾性材質で形成されているため、補給パネル７を閉じた状態でも取り付けが可能である。  
【００１８】
補給パネル７に設けられた鍵７ａの解錠は定員のみ可能であり、前記補給パネル７の鍵７ａを解錠し、上方向にスライドしない限り供給部パネル５は取り外すことができないため、遊技客が不正に供給部パネル５を取り外すことができない。また、供給部パネル５の着脱動作を台間遊技媒体貸出機１の前面外部にて行えるので、メンテナンス作業者や店員が手を汚す、また、怪我をすることなく、迅速にメンテナンス作業を行うことができる。  
【００１９】
また、供給部パネル５は、本体３の下部に配した挿入部２９に差し込み、供給部パネル５に設けた係止片５ｃを本体部材１９の係止爪１９ａに係止するだけで取り付けが行えるので、本体３の内部に複雑な係止装置を設けることなく、着脱操作が容易に可能である。
【００２０】
本発明において、供給部パネル５には、遊技台３３に配した受け皿３３ａに直接払い出しを行う供給部５ａを配したと記したが、受け皿３３ａに直接払い出さないタイプ（たとえば、受け皿タイプ等）を配したパネルでもよい
【図面の簡単な説明】
【００２１】
【図１】台間遊技媒体貸出機の外観斜視図を示す図である。
【図２】台間遊技媒体貸出機の内部詳細図を示す図である。
【図３】補給パネルの構成の詳細を示す図である。
【図４】補給パネルのスライド前の断面拡大図
【図５】補給パネルのスライド後の断面拡大図を示す図である
【図６】供給部パネルを取り外した台間遊技媒体貸出機の内部詳細図を示す図である。
【図７】台間遊技媒体貸出機を設置した遊技島の構成を示す正面図である。
【符号の説明】
【００２２】
１      台間遊技媒体貸出機  ５      供給部パネル  ５ａ    供給部  ５ｂ    制止片  ５ｃ    係止片  ７      補給パネル  ７ａ    鍵  １９    本体部材  １９ａ  係止爪  ２１    スライド板  ２１ａ  制止部
【図１】
2007000163.tif 000003
【図２】
2007000163.tif 000004
【図３】
2007000163.tif 000005
【図４】
2007000163.tif 000006
【図５】
2007000163.tif 000007
【図６】
2007000163.tif 000008
【図７】
2007000163.tif 000009